(57)【要約】      （修正有）【課題】切断材の上面に沿って移動させて切断加工を行う携帯用切断機において、大形のバッテリパックをハンドル部の把持性を損なうことなく取り付けることができる携帯用切断機を提供する。【解決手段】上面に接続面を有する直方体形のバッテリパック３１を、ハンドル部２０の反刃具側において、その接続面を側方へ向けた姿勢で取り付ける構成とする。ハンドル部２０の下方ではなく、側方へ突き出すように取り付ける構成であることから、ハンドル部の把持性を損なうことなく高さ寸法Ｈの大きなバッテリパック３１を取り付けることができる。【選択図】図２
2020040197.tif 000002
【特許請求の範囲】
【請求項１】
切断材に当接させるベースと、該ベースの上面に支持された切断機本体を備え、該切断機本体の刃具を前記ベースの下面側に突き出して切断材に切り込ませる携帯用切断機であって、
前記切断機本体は、前記刃具を動作させる駆動源としての電動モータと、使用者が把持するハンドル部を備え、
該ハンドル部に対して反刃具側の側部に、上面に接続面を有するバッテリパックを取り付けるためのバッテリ取り付け部を備えており、
前記バッテリパックは、前記接続面を側方へ向けた姿勢で前記バッテリ取り付け部に対してスライドさせて取り付け可能な構成とした携帯用切断機。
【請求項２】
請求項１に記載した携帯用切断機であって、前記電動モータを収容するモータハウジングは、前記ハンドル部の反刃具側から側方へ突き出して設けられており、
前記バッテリ取り付け部には、高さ寸法について異なる２種類のバッテリパックを交換して取り付け可能で、いずれのバッテリパックについても前記モータハウジングの反刃具側の端部を超えない範囲に取り付けられる構成とした携帯用切断機。
【請求項３】
請求項１又は２に記載した携帯用切断機であって、前記バッテリパックは、高さ方向の位置について前記刃具を覆うカバーの上端縁よりも低い範囲に取り付けられる構成とした携帯用切断機。
【請求項４】
請求項１〜３の何れか１項に記載した携帯用切断機であって、前記バッテリパックは、高さ方向の位置について前記ハンドル部の把持部よりも下方に取り付けられる構成とした携帯用切断機。
【請求項５】
請求項１〜４の何れか１項に記載した携帯用切断機であって、前記バッテリパックは、前後方向の位置について前記ハンドル部の後端よりも後方にその後端部を位置させて取り付けられる構成とした携帯用切断機。
【請求項６】
請求項１〜５の何れか１項に記載した携帯用切断機であって、前記バッテリパックは、切断が進行する前方へ向かって下る前傾方向にスライドさせて前記バッテリ取り付け部に取り付けられる構成とした携帯用切断機。
【請求項７】
請求項１〜６の何れか１項に記載した携帯用切断機であって、前記電動モータを収容するモータハウジングの前方に、前記電動モータの動作制御を行うためのコントローラを配置した携帯用切断機。
【請求項８】
請求項７に記載した携帯用切断機であって、前記コントローラは、前方へ下る方向に傾斜した前傾姿勢でコントローラハウジングに収容されており、該コントローラハウジングの上部は前記モータハウジングに連結された構成とした携帯用切断機。
【請求項９】
請求項８に記載した携帯用切断機であって、前記コントローラハウジングの前方に、上部を該コントローラハウジングの高さよりも低くした電材収容部を設けた携帯用切断機。
【請求項１０】
請求項８又は９に記載した携帯用切断機であって、前記コントローラハウジングの反刃具側の端部が、前記モータハウジングの反刃具側の端部に面一に揃えられた携帯用切断機。
【請求項１１】
請求項８〜１０の何れか１項に記載した携帯用切断機であって、前記ベースと前記ハンドル部と前記コントローラハウジングとの３部位で当該携帯用切断機を倒立姿勢で設置可能とする接地面を前記コントローラハウジングに設けた携帯用切断機。
【発明の詳細な説明】
【技術分野】
【０００１】
本発明は、充電式のバッテリパックを電源として動作する携帯用の切断機に関する。
【背景技術】
【０００２】
下記の特許文献には、バッテリパックを電源として取り付けることができる携帯用の切断機に関する技術が開示されている。この切断機は、いわゆる携帯マルノコとも称されるもので、矩形のベースを切断材の上面に当接させた状態で、ハンドル部を把持して前方へ移動させることにより、ベース下面側に突き出された円形の刃具を切断材に切り込ませて切断加工を行うことができる。
【０００３】
下記の特許文献に開示されているように従来この種の切断機では、バッテリパックの取り付け部位は、ハンドル部の後部から下方に至るスペースに設定されている。従来この下方スペースを有効に活用することにより、当該切断機のコンパクト性を阻害することなくバッテリパックを取り付けることできるようになっていた。
【先行技術文献】
【特許文献】
【０００４】
【特許文献１】特開２０１０−２０１５９８号公報
【特許文献２】特開２０１４−７９８１２号公報
【発明の概要】
【発明が解決しようとする課題】
【０００５】
しかしながら、従来のバッテリ取り付け構造では、ハンドル部の後部側の下方スペースに取り付け可能なバッテリサイズには限界があり、近年普及し始めたより大形のバッテリパックには適用できない問題があった。より大形のバッテリパックはベースに干渉しやすくなる一方、ベースへの干渉をさけるためハンドル部の高さ位置を高く設定すると把持高さが高くなって切断部位から離れるため切断作業時の操作性が損なわれる問題がある。
【０００６】
本発明は、ハンドル部の高さ位置を高くすることなく、より大形のバッテリパックをハンドル部の後部側に取り付けることができるようにすることを目的とする。
【課題を解決するための手段】
【０００７】
本開示の１つの特徴によると、携帯用切断機は、切断材に当接させるベースと、ベースの上面に支持された切断機本体を備え、切断機本体の刃具をベースの下面側に突き出して切断材に切り込ませる構成を備えている。切断機本体は、刃具を動作させる駆動源としての電動モータと、使用者が把持するハンドル部を備え、ハンドル部に対して反刃具側の側部に、上面に接続面を有するバッテリパックを取り付けるためのバッテリ取り付け部を備えており、バッテリパックは、接続面を側方へ向けた姿勢（横倒し姿勢）でバッテリ取り付け部に対してスライドさせて取り付け可能な構成を備えている。
【０００８】
従って、上面に接続面を有するバッテリパックを接続面を側方へ向けた姿勢でハンドル部の側部に取り付ける構成であることから、高さ寸法（取り付け状態では側方へ張り出し寸法）が大きなバッテリパックを、ハンドル部の高さ方向の位置を高くすることなく、取り付けることができる。すなわち、バッテリパックは接続面を側方へ向けた姿勢で取り付ける構成であるので、取り付け状態では高さ寸法がハンドル部から側方への張り出し寸法となる。その結果、ハンドル部の高さ位置は、バッテリパックの高さ寸法の影響を受けない構成とすることができる。これにより従来のようにハンドル部の直下に大きな取り付けスペースを確保することなく大形のバッテリパックを取り付け可能とすることができ、ひいてはハンドル部の上下方向の位置について位置設定の自由度が高まる。
【０００９】
本開示の他の特徴によると、電動モータを収容するモータハウジングは、ハンドル部の反刃具側から側方へ突き出して設けられている。バッテリ取り付け部には、高さ寸法について異なる２種類のバッテリパックを交換して取り付け可能で、いずれのバッテリパックについてもモータハウジングの反刃具側の端部を超えない範囲に取り付けられる。
【００１０】
従って、高さ寸法について異なる２種類のバッテリパックを交換してそれぞれ接続面を側方へ向けた姿勢で取り付ける構成である一方、取り付けたバッテリパックはそれぞれモータハウジングの反刃具側の端部からはみ出さない範囲で取り付けられることから、当該携帯用切断機の横方向（左右方向）のコンパクト性が損なわれることがない。
【００１１】
本開示の他の特徴によると、バッテリパックは、高さ方向の位置について刃具を覆うカバーの上端縁よりも低い範囲に取り付けられる。
【００１２】
従って、刃具を覆うカバーの上端縁を超えない範囲でバッテリパックが取り付けられる構成であるので、当該携帯用切断機の上下方向のコンパクト性が損なわれることがなく、ひいては当該携帯用切断機の操作性が損なわれることがない。
【００１３】
本開示の他の特徴によると、バッテリパックは、高さ方向の位置についてハンドル部の把持部よりも下方に取り付けられる。
【００１４】
従って、把持部を把持する際にバッテリパックが邪魔になることがなく、また把持した状態でバッテリパックが邪魔になることがない。
【００１５】
本開示の他の特徴によると、バッテリパックは、前後方向の位置についてハンドル部の後端よりも後方にその後端部を位置させて取り付けられる。
【００１６】
従って、ハンドル部の後方の空きスペースを有効に活用して大形のバッテリパックを取り付けることができる。
【００１７】
本開示の他の特徴によると、バッテリパックは、切断が進行する前方へ向かって下る前傾方向にスライドさせてバッテリ取り付け部に取り付けられる。
【００１８】
従って、ハンドル部の後方に位置する使用者のバッテリ取り付け、取り外し時におけるスライド動作の操作性を良くすることができる。
【００１９】
本開示の他の特徴によると、電動モータを収容するモータハウジングの前方に、電動モータの動作制御を行うためのコントローラを配置した。
【００２０】
従って、モータハウジングの前方のデッドスペースを利用してコントローラをコンパクトに配置することができる。
【００２１】
本開示の他の特徴によると、コントローラは、下部側が前方に変位した前傾姿勢でコントローラハウジングに収容されている。コントローラハウジングの上部はモータハウジングに連結されている。
【００２２】
従って、コントローラハウジングの高さ寸法を抑制しつつ、その剛性が高められる。
【００２３】
本開示の他の特徴によると、コントローラハウジングの前方に、上部を該コントローラハウジングの高さよりも低くした電材収容部を設けた。
【００２４】
従って、電材収容部を空きスペースを利用してコンパクトに配置することができる。
【００２５】
本開示の他の特徴によると、コントローラハウジングの反刃具側の端部が、モータハウジングの反刃具側の端部に面一に揃えられている。
【００２６】
従って、コントローラハウジングの端部とモータハウジングの端部を接地させて刃具側を上方へ向けた姿勢で当該携帯用切断機を安定的に設置しておくことができ、これにより刃具交換等のメンテナンス作業の便宜を図ることができる。
【００２７】
本開示の他の特徴によると、ベースとハンドル部とコントローラハウジングとの３部位で当該携帯用切断機を倒立姿勢で設置可能とする接地面をコントローラハウジングに設けた。
【００２８】
従って、当該携帯用切断機をベースの下面側を上方へ向けた３点倒立姿勢で安定的に設置しておくことができ、これにより作業の一時中断時等における設置面等の傷つきを防止しつつ当該携帯用切断機を設置面上に待機させておくことができる。
【図面の簡単な説明】
【００２９】
【図１】本発明の第１実施形態に係る携帯用切断機の全体右側面である。
【図２】第１実施形態に係る携帯用切断機を図１中矢印(II)方向から見た全体平面図である。
【図３】第１実施形態に係る携帯用切断機を図１中矢印(III)方向から見た全体前面図である。
【図４】第１実施形態に係る携帯用切断機を図３中矢印(IV)方向から見た全体左側面図である。
【図５】第１実施形態に係る携帯用切断機を図１中矢印(V)方向から見た全体後面図である。
【図６】第１実施形態に係る携帯用切断機の全体右側面図である。本図は、切断機本体を上動させて切り込み深さを小さくした状態を示している。
【図７】第１実施形態に係る携帯用切断機の全体左側面図である。本図は、切断機本体を上動させて切り込み深さを小さくした状態を示している。
【図８】第１実施形態に係る携帯用切断機の全体左側面図である。本図は、バッテリパックを取り外した状態を示している。
【図９】バッテリパック単体の斜視図である。
【図１０】第２実施形態に係る携帯用切断機の全体左側面図である。
【図１１】第２実施形態に係る携帯用切断機の全体左側面図である。本図は、バッテリパックを取り外した状態を示している。
【図１２】第３実施形態に係る携帯用切断機の全体右側面図である。
【図１３】第３実施形態に係る携帯用切断機を、図１２中矢印(XIII)方向から見た全体平面図である。
【図１４】第３実施形態に係る携帯用切断機の縦断面図である。本図は、図１２中(XIV)-(XIV)線断面矢視図である。
【図１５】第３実施形態に係る携帯用切断機を、図１３中矢印(XV)方向から見た左側面図である。
【図１６】第３実施形態に係る携帯用切断機の内部構造を左側から見た図である。
【図１７】第３実施形態に係る携帯用切断機の横断面図である。本図は、図１５中(XVII)-(XVII)線断面矢視図である。
【図１８】第３実施形態に係る携帯用切断機の全体斜視図である。本図は、図１５中矢印(XVIII)方向であって、倒立用の接地面の面方向から見た状態を示している。
【図１９】第３実施形態に係る携帯用切断機の全体斜視図である。本図は、接地面を接地させて倒立させた状態を示している。
【発明を実施するための形態】
【００３０】
次に、本発明の実施形態を図１〜図１９に基づいて説明する。図１〜５には第１実施形態に係る携帯用切断機１が示されている。第１実施形態の携帯用切断機１は、携帯マルノコと称される携帯用切断機で、矩形平板形状を有して切断材Ｗの上面に当接されるベース２と、ベース２の上面側に支持した切断機本体１０を備えている。
【００３１】
図１、２において、使用者は携帯用切断機１の左側に位置して、携帯用切断機１を図１、２において右側へ移動させることにより切断加工が進行する。以下の説明において、切断加工が進行する方向を前側とし、使用者側を後側として部材及び構成の前後方向を特定する。また、左右方向については使用者を基準にして特定する。
【００３２】
切断機本体１０は、電動モータ１２を駆動源として回転するチップソーと称される円形の刃具１３を備えている。刃具１３の上部側は固定カバー１４で覆われている。刃具１３の下部側は、ベース２の下面側に突き出されている。ベース２の下面側に突き出された下部側が切断材Ｗに切り込まれて切断加工がなされる。
【００３３】
ベース２の下面側へ突き出された刃具１３の下部側の周縁部（刃先）は、可動カバー１５で覆われている。可動カバー１５は、固定カバー１４に対して刃具１３の回転中心１３ａ付近を中心として回動可能に支持されている。可動カバー１５は、図示時計回り方向に回動されると開かれて、刃具１３の周縁が露出される。可動カバー１５は、図示反時計回り方向に回動されると、閉じられて刃具１３の周縁が覆われる。可動カバー１５は図では見えていない引っ張りばねにより閉じ方向に付勢されている。
【００３４】
固定カバー１４の左側部に、減速ギヤ部１６が設けられている。減速ギヤ部１６の左側部から左側方へ突き出す状態に円筒形のモータハウジング１２ａが取り付けられている。モータハウジング１２ａに電動モータ１２が収容されている。電動モータ１２は、モータ軸線Ｍを左右方向に沿わせた向きで取り付けられている。図４に示すようにモータハウジング１２ａの反刃具側の左端面には、外気（モータ冷却風）を導入するための吸気口１２ｂが設けられている。吸気口１２ｂから導入された外気により電動モータ１２の冷却がなされる。
【００３５】
モータハウジング１２ａの後部からバッテリ取り付け台座部１７が後方へ延びる状態に設けられている。バッテリ取り付け台座部１７は、概ね平板形状を有しており、その板厚方向を左右方向に沿わせた向きで設けられている。モータハウジング１２ａと減速ギヤ部１６との結合部付近とバッテリ取り付け台座部１７の後部上面付近との間に跨ってループ形のハンドル部２０が設けられている。
【００３６】
ハンドル部２０は、モータハウジング１２ａと減速ギヤ部１６との結合部付近から上方へ延びる起立部２１と、起立部２１の上部から後方へ下る方向に延びる把持部２２を備えている。把持部２２の後部がバッテリ取り付け台座部１７の後部上面付近に結合されている。起立部２１と把持部２２の結合部付近下面にトリガ形式のスイッチレバー２３が設けられている。使用者は、把持部２２を把持して当該携帯用切断機１を移動操作し、またスイッチレバー２３を引き操作して電動モータ１２を起動させることができる。
【００３７】
切断機本体１０は、上下揺動支軸１８を介してベース２に対して上下に揺動可能に支持されている。図６及び図７は、上下揺動支軸１８を中心にして切断機本体１０を上動端に変位させた状態を示している。切断機本体１０のベース２に対する上下の揺動位置を変化させることにより、刃具１３のベース２の下面側への突き出し量を変化させることができ、これにより切断材Ｗに対する切り込み深さを調整することができる。図１は、切断機本体１０をベース２に対して下動端に位置させて切り込み深さを最大に設定した状態を示している。
【００３８】
切断機本体１０のベース２に対する上下揺動位置は、後部側に設けた固定レバー１９を固定側に回動操作することにより固定される。ベース２の後部側上面には、円弧形のデプスガイド２５が上方へ起立する状態に設けられている。切断機本体１０の後部側の上下揺動動作がデプスガイド２５により案内される。
【００３９】
切断機本体１０は、前後の左右傾動支軸２６，２７を介してベース２に対して左右に傾動可能に支持されている。前側の左右傾動支軸２６が図３に示され、後側の左右傾動支軸２７が図５に示されている。前後の左右傾動支軸２６，２７は、相互に同軸に配置されている。左右傾動支軸２６，２７を介して切断機本体１０の左右傾動位置を調整することにより刃具１３を切断材Ｗに対して斜めに切り込ませて傾斜切りを行うことができる。
【００４０】
前記したようにモータハウジング１２ａの後方にはバッテリ取り付け台座部１７が設けられている。図２に示すようにバッテリ取り付け台座部１７は、ハンドル部２０に対して固定カバー１４とは反対側（反刃具側）に設けられている。バッテリ取り付け台座部１７の左側面に、バッテリ取り付け部３０が設けられている。バッテリ取り付け部３０に一つのバッテリパック３１を取り付けることができる。
【００４１】
バッテリパック３１は、１８Ｖ出力のリチウムイオンバッテリで、バッテリ取り付け部３０から取り外して別途用意した充電器で充電することにより、繰り返し使用することができる。図９には、取り外したバッテリパック３１が示されている。バッテリパック３１は、前後方向の長さ寸法がＬ、左右方向の幅寸法がＤ、上下方向の高さ寸法がＨを有する概ね直方体形を有している。各方向の寸法は、通常この種のバッテリパックと同様、長さ寸法Ｌ＞幅寸法Ｄ＞高さ寸法Ｈの大小関係となっている。すなわち、長さ寸法Ｌは、しっかりした取付状態を維持するためにレール部を長くしており、その都合上、１番長い寸法となっている。幅寸法Ｄは、端子とレール部を並べて配置する都合上、２番目に長い寸法になっている。相対的に自由度がある長さは高さ寸法Ｈであるが、本実施形態では１番短くした。
【００４２】
バッテリパック３１は、前後、左右及び上下の６面を有しており、図示上面がバッテリ取り付け部３０に対する接続面３１ｂとなっている。バッテリパック３１の接続面３１ｂには、前後方向に延びる左右一対のレール部３１ｄが設けられている。左右のレール部３１ｄ間に、正負の端子受け部３１ｅ，３１ｆが設けられている。正負の端子受け部３１ｅ，３１ｆ間に信号端子受け部３１ｇが設けられている。
【００４３】
バッテリパック３１の接続面３１ｂの後方にロック爪３１ｃが設けられている。このロック爪３１ｃは突き出し側（ロック側）にばね付勢されている。ロック爪３１ｃの後方にアンロックボタン３１ａが設けられている。図９ではアンロックボタン３１ａは見えていない。アンロックボタン３１ａを押し下げ操作すると、ロック爪３１ｃがばね付勢力に抗してアンロック側に引き下げられる。なお、バッテリパック３１単体を示す図９では前後左右及び上下の各方向についても独自の用い方をしている。接続面３１ｂを上面とし、取り付け方向を前側、取り外し方向を後側として用いている。また、取り付け方向に向かって左右を左右方向として用いている。
【００４４】
図８には、バッテリパック３１を取り外した状態のバッテリ取り付け部３０が示されている。バッテリ取り付け部３０には、上下一対のレール受け部３０ａが設けられている。上下のレール受け部３０ａは相互に平行で前後方向の延びる状態に設けられている。上下のレール受け部３０ａにレール部３１ｄを係合させた状態でバッテリパック３１を前後にスライドさせることにより、当該バッテリパック３１をバッテリ取り付け部３０に対して取り付け、取り外しすることができる。図８中白抜き矢印で示すように、バッテリ取り付け部３０に対してバッテリパック３１を前方へスライドさせて取り付けることができる。逆にバッテリパック３１を後方へスライドさせてバッテリ取り付け部３０から取り外すことができる。
【００４５】
上下のレール受け部３０ａ間に正負の電源端子３０ｂ，３０ｃが設けられている。正負の電源端子３０ｂ，３０ｃ間には、１つの信号端子３０ｄが設けられている。バッテリ取り付け部３０の後部には、バッテリパック３１のロック爪３１ｃを係合させるための爪係合部３０ｅが設けられている。バッテリパック３１を前方へスライドさせてバッテリ取り付け部３０に取り付けると、ロック爪３１ｃが爪係合部３０ｅに係合して、当該バッテリパック３１のバッテリ取り付け部３０に対する取り付け状態がロックされる。図１に示すようにバッテリパック３１の後部には、アンロックボタン３１ａが設けられている。アンロックボタン３１ａを押し下げ操作すると、ロック爪３１ｃが引き込まれて爪係合部３０ｅに対する係合状態が解除されることにより、バッテリパック３１を後方へスライドさせてバッテリ取り付け部３０から取り外すことができる。
【００４６】
バッテリパック３１は、その上面の接続面３１ｂを右側方へ向けた姿勢（横倒し姿勢）で前方へスライドさせてバッテリ取り付け部３０に取り付けられる。このため、バッテリパック３１は取り付けられた状態では、図１に示すように幅寸法Ｄが上下方向の寸法となり、図２に示すように長さ寸法Ｌがそのまま前後方向の寸法となり、高さ寸法Ｈが左右方向の寸法となる、横倒し姿勢となる。
【００４７】
図２、３に示すように横倒し姿勢で取り付けたバッテリパック３１は、モータハウジング１２ａの反刃具側の左端部からはみ出さない範囲で取り付けられるようバッテリ取り付け部３０の左右方向の位置が適切に設定されている。バッテリパック３１が電動モータ１２より左側方へはみ出さない状態に取り付けられることから、当該携帯用切断機１の横方向（左右方向）のコンパクト性が損なわれることがない。
【００４８】
また、破線にて高さ寸法Ｈが大きいタイプのバッテリパックを示した。このように、大形のバッテリパックを取り付ける場合も、左方向に大きくなるだけなので、ベースに干渉することはなく、ハンドル高さを高くする必要もない。このように、バッテリ取り付け部３０には、高さ寸法Ｈが異なる２種類のバッテリパックを取り付けることができる。本実施形態では接続面３１ｂがベース面に対して垂直になる形態を表したが、後面視で左方又は右方に約１０°以内の角度で傾斜させた形態であれば、同様の作用効果を奏することができる。
【００４９】
また、図１、４、５に示すようにバッテリパック３１は、刃具１３を覆う固定カバー１４の上端縁の高さＨ１４よりも低い範囲内に取り付けられるようにバッテリ取り付け部３０の高さ方向の位置が適切に設定されている。取り付けたバッテリパック３１が固定カバー１４の上端縁から上方へはみ出さないことから、当該携帯用切断機１の上下方向のコンパクト性が確保され、ひいては当該携帯用切断機１の良好な操作性が確保される。
【００５０】
さらに、バッテリパック３１は、ハンドル部２０の特に把持部２２に対して十分に下方の範囲に取り付けられるようバッテリ取り付け部３０の高さ方向の位置が適切に設定されていることから、把持部２２を把持する際、及び把持した状態でバッテリパック３１が邪魔になることなく、この点でも当該携帯用切断機１の良好な操作性が確保されている。図１、４に示すように把持部２２の下部は、固定カバー１４の上端縁の高さＨ１４に概ね一致している。バッテリパック３１は、把持部２２よりも下方かつ固定カバー１４の上端縁の高さＨ１４よりも下方の領域に取り付けられる。
【００５１】
また、バッテリパック３１は、その後端部をハンドル部２０の後端よりも後方へはみ出させた状態に取り付けられるようにバッテリ取り付け部３０の前後方向の位置が適切に設定されている。これにより、ハンドル部２０の後方の空きスペースを有効に活用して、大形のバッテリパック３１を取り付けることができるようになる。
【００５２】
以上のように構成した携帯用切断機１によれば、上面に接続面３１ｂを有するバッテリパック３１を、その上面を側方へ向けた姿勢で取り付ける構成となっていることから、バッテリパック３１の高さ寸法Ｈが取り付け状態では左側方への張り出し寸法となる。このため、高さ寸法Ｈが大きなバッテリパック３１を、ハンドル部２０の高さ方向の位置を高くすることなく、取り付けることができる。
【００５３】
このように、取り付け状態では高さ寸法Ｈがハンドル部２０から側方への張り出し寸法となる結果、ハンドル部２０の高さ位置は、バッテリパック３１の高さ寸法Ｈの影響を受けない構成とすることができ、これにより従来のようにハンドル部の直下に大きな取り付けスペースを確保することなく大形のバッテリパック３１を取り付け可能とすることができ、ひいてはハンドル部２０の上下方向の位置について位置設定の自由度を高めることができる。
【００５４】
また、横倒し姿勢で取り付けたバッテリパック３１は、モータハウジング１２ａの反刃具側の端部（左端部）からはみ出さない範囲で取り付けられることから、当該携帯用切断機１の横方向（左右方向）のコンパクト性が損なわれることがない。
【００５５】
さらに、刃具１３を覆う固定カバー１４の上端縁の高さＨ１４を超えない範囲でバッテリパック３１が取り付けられることから、当該携帯用切断機１の上下方向のコンパクト性が損なわれず、これにより当該携帯用切断機１の操作性が損なわれることがない。
【００５６】
また、バッテリパック３１は、高さ方向の位置についてハンドル部２０の特に把持部２２よりも下方の範囲に取り付けられる構成であることから、把持部２２を把持する際にバッテリパック３１が邪魔になることがなく、また把持した状態でもバッテリパック３１が邪魔になることがなく、この点でハンドル部２０の良好な把持性が確保されている。
【００５７】
また、バッテリパック３１は、ハンドル部２０よりも後方にはみ出した状態に取り付けられることから、ハンドル部２０の後方の空きスペースを有効に活用することができる。
【００５８】
図１０、１１には、第２実施形態に係る携帯用切断機４０が示されている。第２実施形態に係る携帯用切断機４０は、バッテリパック３１のバッテリ取り付け部４１に対する取り付け、取り外しのためのスライド方向が第１実施形態とは異なっている。第１実施形態と同様の部材及び構成については同位の符合を用いてその説明を省略する。
【００５９】
第１実施形態に係るバッテリ取り付け部３０の取り付け、取り外しのためのスライド方向は、図８に示すように切断機本体１０を切り込み深さが最大となる下動端に位置させた状態でベース２の下面に対して平行となる方向に設定されている。これに対して、第２実施形態に係るバッテリ取り付け部４１の取り付け、取り外しのためのスライド方向は、図１１に示すように切り込み深さを最大に設定した状態でベース２の下面に対して角度αで前傾となる方向（前方へ向かって下る方向、後部側を上方へ変位させる方向）に設定されている。前傾角度αは、約５°程度に設定されている。この前傾角度αは、例えばハンドル部２０の把持性を阻害しない範囲でより大きな角度に変更することができる。例えば、前傾角度αを約１０°〜３０°の範囲で設定して、取り付け、取り外しの操作性をより優先することができる。
【００６０】
バッテリパック３１の取り付け、取り外しのためのスライド方向がベース２の下面に対して前傾方向に傾斜していることにより、その取り付け、取り外しの際にバッテリパック３１を把持した手の手首のひねりを小さくして楽な姿勢で、かつより小さな力でバッテリパック３１を取り付け方向あるいは取り外し方向にスライドさせることができるようになり、これらの点で取り付け、取り外しの操作性をよくすることができる。
【００６１】
また、第２実施形態に係るバッテリ取り付け構造によっても、ハンドル部２０の左側方に設けたバッテリ取り付け部４１に対してバッテリパック３１を横倒し姿勢で取り付ける構成であることから、高さ寸法Ｈの大きなバッテリパック３１をハンドル部の把持性等を阻害することなく取り付けることができるようになり、この点は第１実施形態と同様である。
【００６２】
図１２〜１５には、第３実施形態の携帯用切断機５０が示されている。第３実施形態に係る携帯用切断機５０は、主として電動モータ６０の動作制御を行うためのコントローラ５２の配置部位について特徴を有している。バッテリパック３１の接続面３１ｂを側方へ向けた姿勢（横倒し姿勢）での取り付け形態については同様の構成を備えている。その他、第１、第２実施形態と同様の部材及び構成については同位の符号を用いてその説明を省略する。なお、図１３において破線で示すように第３実施形態に係る携帯用切断機５０においても、高さ寸法Ｈが異なる２種類のバッテリパック３１をバッテリ取り付け部に３０にそれぞれ横倒し姿勢で取り付けることができる。
【００６３】
第３実施形態に係る携帯用切断機５０は、電動モータ６０としてブラシレスモータを備えている。電動モータ６０は、円筒形のモータハウジング６１に収容されている。モータハウジング６１は、第１実施形態と同じく固定カバー１４の左側部に設けた減速ギヤ部１６に結合されている。このため、電動モータ６０は、左右方向に延びるモータ軸線Ｍに沿って配置されている。
【００６４】
図１４及び図１７に電動モータ６０の詳細が示されている。電動モータ６０は、モータハウジング６１の内周に沿って固定した円筒形のステータ６０ａと、ステータ６０ａの内周側に回転自在に支持したロータ６０ｂを備えている。ロータ６０ｂはモータ軸６０ｃに一体化されている。モータ軸６０ｃは、右側の軸受６０ｄと左側の軸受６０ｅを介して回転自在に支持されている。モータ軸６０ｃの回転軸線がモータ軸線Ｍに相当する。右側の軸受６０ｄは、減速ギヤ部１６に保持されている。左側の軸受６０ｅは、モータハウジング６１の左端部に保持されている。
【００６５】
ステータ６０ａの左端部に沿って円板型のセンサ基板６０ｆが取り付けられている。このセンサ基板６０ｆによってロータ６０ｂの回転位置が検知される。ロータ６０ｂと右側の軸受６０ｄとの間において、モータ軸６０ｃには冷却ファン６０ｇが取り付けられている。冷却ファン６０ｇは、モータ軸６０ｃと一体で回転する。
【００６６】
モータハウジング６１の反刃具側の左端面には、モータ冷却風を導入するための吸気口６１ａが設けられている。電動モータ６０が起動して冷却ファン６０ｇが回転することにより、モータハウジング６１の吸気口６１ａから外気が導入される。吸気口６１ａから導入された外気により電動モータ６０の冷却がなされる。モータ冷却風の流れが図１４及び図１７において太く塗り潰した矢印で示されている。モータハウジング６１の吸気口６１ａから流入して右方へ流れたモータ冷却風は、通気口６２を経て以下述べるコントローラハウジング５１内に流入する。通気口６２は、冷却ファン６０ｇの側方であって、モータハウジング６１の右端部前側に設けられている。
【００６７】
第３実施形態に係る携帯用切断機５０は、モータハウジング６１の前方にコントローラハウジング５１を備えている。このコントローラハウジング５１内にコントローラ５２が収容されている。図１６及び図１７に示すようにコントローラ５２は、アルミダイキャスト製で矩形底浅のケース５２ａに、主として電動モータ１２の動作制御をするための制御基板５２ｂを収容して樹脂モールドしたもので、概ね平板形状を有している。
【００６８】
コントローラ５２の制御基板５２ｂには、センサ基板６０ｆで検知されたロータ６０ｂの回転位置情報に基づいて制御信号を送信するマイコンからなる制御回路、及びこの制御回路から受信した制御信号に基づいて電動モータ６０の電流をスイッチングするＦＥＴからなる駆動回路、及びバッテリパック３１の状態の検出結果に応じて過放電又は過電流状態とならないように電動モータ６０への電力供給を遮断するオートストップ回路等が搭載されている。
【００６９】
コントローラ５２は、図示するようにその下部側が前方へ変位する方向に傾斜した前傾姿勢でコントローラハウジング５１に収容されている。このため、図１５に示すようにコントローラハウジング５１もその下部側が前方へ変位する方向に傾斜した状態に配置されて、その上部側はモータハウジング６１の前部に結合されている。コントローラハウジング５１の上部とモータハウジング６１の前部との結合部に、上記した通気口６２が設けられている。この通気口６２を経て、モータハウジング６１内とコントローラハウジング５１内が連通されている。
【００７０】
図１４及び図１７中塗り潰した矢印で示すように、電動モータ６０の冷却ファン６０ｇによりモータハウジング６１内に導入されたモータ冷却風は、通気口６２を経てコントローラハウジング５１内に流入されてコントローラ５２の冷却がなされる。流入した冷却風により、コントローラ５２の制御基板５２ｂに搭載したＦＥＴ（電界効果トランジスタ）等の発熱源が冷却される。モータ冷却風の一部は、コントローラハウジング５１内に流入せず、一部は固定カバー１４のモータ側縦壁部に沿って隣接して前方に延在するブロワ用ダクト２４内を通って固定カバー１４の前方にブロワとして排出し、他の一部は減速ギヤ部１６内を経て固定カバー１４の内部に排気される。
【００７１】
減速ギヤ部１６は、ギヤハウジング１６ａ内にギヤ列６３を収容したもので、電動モータ６０の回転出力を２段階で減速して出力軸６８に伝達する機能を有している。減速ギヤ部１６の詳細が図１４に示されている。モータ軸６０ｃの右端部側は、ギヤハウジング１６ａに進入されている。モータ軸６０ｃの右端部には駆動ギヤ部６０ｈが設けられている。駆動ギヤ部６０ｈは、第１従動ギヤ６４に噛み合わされている。第１従動ギヤ６４は、中間軸６５の左側に設けられている。中間軸６５は、右側の軸受６５ａと左側の軸受６５ｂを介して回転自在にギヤハウジング１６ａに支持されている。第１従動ギヤ６４の右側であって中間軸６５には第２従動ギヤ６６が設けられている。第１及び第２従動ギヤ６４、６６は、中間軸６５と一体で回転する。
【００７２】
第２従動ギヤ６６は、出力ギヤ６７に噛み合わされている。出力ギヤ６７が、出力軸６８に一体に設けられている。出力軸６８は、右側の軸受６８ａと左側の軸受６８ｂを介してギヤハウジング１６ａの下部に回転自在に支持されている。出力軸６８の右端部側は、固定カバー１４内に突き出されている。出力軸６８の右端部に、刃具１３が取り付けられている。刃具１３は、その両側をアウタフランジ６９ａとインナフランジ６９ｂで挟まれた状態で、出力軸６８の軸端に刃具固定ねじ６９を締め込んで取り付けられている。
【００７３】
図１２に示すように中間軸６５は、モータ軸６０ｃの回転軸線（モータ軸線Ｍ）と、出力軸６８の回転軸線（刃具１３の回転中心）を結ぶ線に対して距離ｄだけ後側へずれて配置されている。これによりモータ軸６０ｃと出力軸６８との上下方向の軸間距離ｊが縮小されて、モータ軸線Ｍを低くすることができるので、製品をコンパクトにすることができる。
【００７４】
図１３及び図１５に示すようにコントローラハウジング５１の前部には、電材収容部５３が設けられている。電材収容部５３により、コントローラ５２の前方に膨らむ収容スペース５３ａが確保されている。図１６に示すように、電材収容部５３により確保される収容スペース５３ａに、ＦＥＴやコンデンサ５３ｂあるいは配線類５３ｃ等の各種の電材部品が収容されている。図１３に示すようにハンドル部２０の前面に、当該携帯用切断機５０の動作状態を切り替えるための切替ボタン２８が設けられている。この切替ボタン２８を押すたびに、「定回転モード」と、高回転・低トルクから負荷の増大に合わせて低回転・高トルクに自動的に変速を行う「自動変速モード」とを切替えることができるようになっている。尚、切替ボタン２８の隣接した前面に、モード切り替え状態を示すランプが２つ設けられている。この２つのランプは、作業者が墨線を視認する直線上に配置されているため、視認性に優れている。
【００７５】
コントローラハウジング５１の左側の上部には、３点倒立用の接地面５１ａが設けられている。この接地面５１ａは、図１５において太線で囲んで格子状のハッチングを付して示されている。この接地面５１ａは、前方へ下る方向に傾斜した前傾面で、かつ左方へ下る方向に傾斜した左傾面となっている。このため、この接地面５１ａは、前方かつ左方へ下る平坦な傾斜面となっている。図１５中矢印(XVIII)方向から見た図１８では、当該携帯用切断機５０が、この倒立用の接地面５１ａの面方向から見た状態で示されている。図１５中の矢印(XVIII)方向は、コントローラ５１の延在方向（面方向）にほぼ一致している。このことから、接地面５１ａは、コントローラ５１の延在方向にほぼ平行な２直線（稜線）で折れ曲がって傾斜する平坦面となっている。
【００７６】
図１９に示すようにコントローラハウジング５１に設けた接地面５１ａと、ベース２の左側の前角部２ａと、ハンドル部２０の起立部２１の前端部２１ａとの３部位を設置面Ｆに接地させて、当該携帯用切断機５０を上下反転させた倒立姿勢で安定的に設置しておくことができる。図示するようにこの倒立姿勢では、ベース２の下面が上方へ向けられて、刃具１３が可動カバー１５が覆われた状態で上方へ突き出されている。
【００７７】
また、この倒立姿勢では、ハンドル部２０の把持部２２が設置面Ｆから上方へ適度に離れて位置している。このため、例えば作業者が設置面Ｆ上での切断作業を一時中断する場合に、把持部２２を把持したまま、当該携帯用切断機５０を上下反転させた倒立姿勢で設置しておくことができる。
【００７８】
この倒立姿勢では、刃具１３が上方へ向けられるため設置面Ｆを傷付けるおそれがなく、かつ把持部２２が再把持しやすい部位に待機させておくことができ、作業の中断、継続を楽に行うことができる。このように例えばコントローラハウジング５１に３点倒立用の接地面５１ａを設けることにより、当該携帯用切断機５０を上下反転させた倒立姿勢で安定的に設置しておくことができ、この点で当該携帯用切断機５０の作業性が高められている。
【００７９】
以上のように構成した第３実施形態に係る携帯用切断機５０によれば、バッテリパック３１がその上面（接続面３１ｂ）を側方へ向けた姿勢で取り付けられることにより第１実施形態と同様の作用効果を得ることができる。
【００８０】
また、第３実施形態に係る携帯用切断機５０によれば、モータハウジング６１の前方のいデッドスペースに、電動モータ６０の動作制御を行うためのコントローラ５２がコンパクトに配置されている。
【００８１】
特に、コントローラ５２は、前方へ下る方向に傾斜した前傾姿勢でコントローラハウジング５１に収容されており、コントローラハウジング５１の上部はモータハウジング６１に連結されている。このため、コントローラ５２が高さ方向についてコンパクトに配置され、またコントローラハウジング５１の高さ寸法を抑制しつつ、その剛性が高められている。
【００８２】
また、第３実施形態の携帯用切断機５０によると、コントローラハウジング５１の前方に、電材収容部５３が設けられている。電材収容部５３の上部はコントローラハウジング５１の高さよりも低くなっている。このため、コントローラハウジング５１に前方の空きスペースを利用して、コンデンサや配線類の電材収容部をコンパクトに収容しておくことができる。
【００８３】
さらに、第３実施形態に係る携帯用切断機５０によると、コントローラハウジング５１の反刃具側の端部（左端部）が、モータハウジング６１の反刃具側の端部に面一に揃えられている。このため、コントローラハウジング５１の端部とモータハウジング６１の端部との双方を接地させて、当該携帯用切断機５０をその刃具側を上方へ向け、かつ刃具１３を設置面Ｆに平行にした姿勢でより安定的に設置しておくことができ、これにより刃具交換等のメンテナンス作業の便宜を図ることができる。
【００８４】
また、第３実施形態の携帯用切断機５０によると、コントローラハウジング５１の前部に３点倒立用の接地面５１ａが設けられている。この接地面５１ａと、ベース２の左側の前角部２ａと、ハンドル部２０の前端部２１ａとの３部位で、当該携帯用切断機５０を上下ほぼ反転させた３点倒立姿勢で安定的に設置しておくことができる。このように当該携帯用切断機５０を倒立姿勢で安定的に設置しておくことができることから、作業の一時中断時等における設置面等の傷つきを防止しつつ当該携帯用切断機５０を設置面上に一時的に待機させておくことができ、また把持部２２を楽に把持して作業を再開することができ、この点で当該携帯用切断機５０の作業性を高めることができる。
【００８５】
以上説明した第３実施形態では、コントローラ５１の延在方向にほぼ平行な２直線（稜線）間で傾斜する平坦面を３点倒立用の接地面５１ａとする構成を例示したが、異なる２線間で傾斜する面を３点倒立用の接地面とすることができる。要は、コントローラハウジングの角部等を一部欠落して接地面とすることで、別途脚部等を追加設定することなく、３点倒立を可能とすることができる。３点倒立のため、ベース２の左側の前角部２ａと、ハンドル部２０の前端部２１ａを接地させる構成を例示したが、接地面５１ａに加えて他の２部位を接地させる構成としてもよい。
【００８６】
以上説明した第１〜第３実施形態の携帯用切断機１，４０，５０にはさらに変更を加えることができる。チップソーを刃具として用いる携帯用切断機に替えて、例えば鋸刃やダイヤモンドホイール等の回転刃具を備える切断機、あるいは刃具を往復動させるレシプロソーやジグソーについても例示したバッテリパック３１の取り付け形態、あるいはコントローラ５２の配置形態を同様に適用することができる。
【符号の説明】
【００８７】
Ｗ…切断材
１…携帯用切断機（第１実施形態）
２…ベース、２ａ…左側の前角部
１０…切断機本体
１２…電動モータ
１２ａ…モータハウジング、１２ｂ…吸気口
Ｍ…モータ軸線
１３…刃具、１３ａ…回転中心
１４…固定カバー、Ｈ１４…固定カバー１４の上端縁の高さ
１５…可動カバー
１６…減速ギヤ部
１７…バッテリ取り付け台座部
１８…上下揺動支軸
１９…固定レバー
２０…ハンドル部
２１…起立部、２１ａ…前端部
２２…把持部
２３…スイッチレバー
２４…ブロワ用ダクト
２５…デプスガイド
２６、２７…左右傾動支軸
２８…切替ボタン
３０…バッテリ取り付け部
３０ａ…レール受け部、３０ｂ，３０ｃ…正負の電源端子、３０ｄ…信号端子
３０ｅ…爪係合部
３１…バッテリパック（長さ寸法Ｌ、幅寸法Ｄ、高さ寸法Ｈ）
３１ａ…アンロックボタン、３１ｂ…接続面、３１ｃ…ロック爪、３１ｄ…レール部
３１ｅ，３１ｆ…正負の端子受け部、３１ｇ…信号端子受け部
４０…携帯用切断機（第２実施形態）
４１…バッテリ取り付け部
５０…携帯用切断機（第３実施形態）
５１…コントローラハウジング
５１ａ…接地面
５２…コントローラ
５２ａ…ケース、５２ｂ…制御基板
５３…電材収容部
５３ａ…収容スペース、５３ｂ…コンデンサ、配線類５３ｃ
６０…電動モータ
６０ａ…ステータ、６０ｂ…ロータ、６０ｃ…モータ軸、６０ｄ，６０ｅ…軸受
６０ｆ…センサ基板、６０ｇ…冷却ファン、６０ｈ…駆動ギヤ部
６１…モータハウジング、６１ａ…吸気口
６２…通気口
６３…ギヤ列
６４…第１従動ギヤ
６５…中間軸
６５ａ，６５ｂ…軸受
６６…第２従動ギヤ
６７…出力ギヤ
６８…出力軸
６８ａ，６８ｂ…軸受
６９…刃具固定ねじ
６９ａ…アウタフランジ、６９ｂ…インナフランジ
Ｆ…設置面
【図１】
2020040197.tif 000003
【図２】
2020040197.tif 000004
【図３】
2020040197.tif 000005
【図４】
2020040197.tif 000006
【図５】
2020040197.tif 000007
【図６】
2020040197.tif 000008
【図７】
2020040197.tif 000009
【図８】
2020040197.tif 000010
【図９】
2020040197.tif 000011
【図１０】
2020040197.tif 000012
【図１１】
2020040197.tif 000013
【図１２】
2020040197.tif 000014
【図１３】
2020040197.tif 000015
【図１４】
2020040197.tif 000016
【図１５】
2020040197.tif 000017
【図１６】
2020040197.tif 000018
【図１７】
2020040197.tif 000019
【図１８】
2020040197.tif 000020
【図１９】
2020040197.tif 000021